(57)【特許請求の範囲】
【請求項１】
天板部とこの天板部に平行に配置された底板部と、柱部を介して仕切られて天板部と底板部との間に形成された複数の中空部とを備えるデッキ材の端面を覆う蓋部と、
この蓋部のデッキ材の端面に当接する面から突設され、前記中空部内に入り込み、中空部内壁の一部に圧接されて蓋部によってデッキ材の端面を覆った状態を保持する突部と、を一体に有するデッキ材の小口キャップであって、
前記蓋部が、前記デッキ材の端面全体を覆う大きさをした板状をしているとともに、
各中空部の水抜き溝が、その上端が前記底板部の上面より上側で前記天板部の下面より下側に配置され、下端が蓋部の下端面でのみ開口するように、前記蓋部の前記デッキ材の端面に当接する面に設けられていることを特徴とするデッキ材の小口キャップ。
【請求項２】
突部が中空部の内壁との当接面にズレ防止用の突条または突起を備えている請求項１に記載の小口キャップ。
【請求項３】
突部が中空部ごとに設けられている請求項１または請求項２に記載の小口キャップ。
【請求項４】
突部が柱部を厚み方向の両側から挟むように配置されている請求項１または請求項２に記載の小口キャップ。
【発明の詳細な説明】
【技術分野】
【０００１】
本発明は、バルコニーの床材等として用いられるデッキ材の小口キャップに関する。
【背景技術】
【０００２】
バルコニーの床材等に、押出成形によって得られるデッキ材がある。このデッキ材は、天板部と、底板部と、柱部とによって形成される複数の中空部とを有し、中空部が長手方向の両端（小口）で開口している。
そして、デッキ材は、使用時において、中空部に雨水や埃が入り込まないようにするとともに、端面の装飾を目的として小口キャップが装着される。
【０００３】
従来の小口キャップは、蓋部が中空部を完全に覆い隠すようになるので、基本的には、雨水が中空部に入りにくい構造になっているが、気温の変化などの熱伸縮により若干の隙間が生じこの隙間から雨水が浸透して中空部内に入り込むことがある。しかし、下端側に隙間がない場合、この中空部に入り込んだ水が排水されずに水が溜まり、水苔発生やデッキ材の品質低下を招くという問題があった。
【０００４】
そこで、図５及び図６に示すような小口キャップ１００が提案されている（特許文献１参照）。
すなわち、この小口キャップ１００は、デッキ材２００の端面に当接される蓋部１１０と、その蓋部１１０の裏面に突設され、デッキ材２００の天板部２１０と、底板部２２０と、柱部２３０とによって形成される中空部２４０に嵌合される嵌合部１２０とを一体に備えている。そして、蓋部１１０は、嵌合部１２０がデッキ材２００の中空部２４０に嵌合された状態でデッキ材２００の中空部２４０の底板部２２０と同一面に底辺を有する水抜き孔１３０が形成されている。
【先行技術文献】
【特許文献】
【０００５】
【特許文献１】特開２００９−９１７１７号公報
【発明の概要】
【発明が解決しようとする課題】
【０００６】
しかしながら、上記小口キャップ１００においては、中空部２４０内に雨水が入り込んでも上記水抜き孔１３０から排水され、水苔発生の問題は解消されるのであるが、水抜き孔１３０を備えているので、完全に中空部２４０内がデッキ材２００の側方から隠蔽されているものではない。
したがって、外観の点で問題が残るとともに、水抜き孔１３０から中空部２４０内にホコリや虫が侵入する不具合が考えられる。
本発明は、上記事情に鑑みて、デッキ材の側方から中空部内が視認できず、外観が良好となるとともに、中空部に雨水が入り込んでもすぐに排水される小口キャップを提供することを目的としている。
【課題を解決するための手段】
【０００７】
上記目的を達成するために、本発明にかかるデッキ材の小口キャップは、天板部とこの天板部に平行に配置された底板部と、柱部を介して仕切られて天板部と底板部との間に形成された複数の中空部とを備えるデッキ材の端面を覆う蓋部と、この蓋部のデッキ材の端面に当接する面から突設され、前記中空部内に入り込み、中空部内壁の一部に圧接されて蓋部によってデッキ材の端面を覆った状態を保持する突部と、を一体に有するデッキ材の小口キャップであって、前記蓋部が、前記デッキ材の端面全体を覆う大きさをした板状をしているとともに、各中空部の水抜き溝が、その上端が前記底板部の上面より上側で前記天板部の下面より下側に配置され、下端が蓋部の下端面でのみ開口するように、前記蓋部の前記デッキ材の端面に当接する面に設けられていることを特徴としている。
【０００８】
本発明において、水抜き溝の形状は、水抜きをスムーズにできれば特に限定されないが、できるだけ断面積を小さくするとともに、長さを短くすることが好ましい。
また、水抜き溝は、蓋部の下端面での開口を中空部の数より少なくし、中空部側で分岐させるようにしても構わない。
【０００９】
突部の形状は、一部が中空部の内壁に圧接して蓋部とデッキ材の端面とが当接した状態に保持できれば特に限定されないが、抜け落ちやずれを防止するために、三角リブや小突起などを中空部の内壁に当接する面に設けるようにしてもよい。また、突部が薄板状をしている場合、圧接面の逆の面に補強リブを設けるようにしても構わない。
突部は、特に限定されないが、中空部ごとに設けられていることが好ましい。
さらに、突部のうち、少なくとも一部が柱部を厚み方向の両側から挟むように配置されていてもよい。
本発明の小口キャップの材質は、特に限定されず、金属製、木製、樹脂製のいずれでも構わないが、施工性を考慮すれば、樹脂製が好ましい。
小口キャップに用いられる樹脂としては、特に限定されないが、ＡＢＳ樹脂（アクリロニトリル−ブタジエン−スチレン共重合体）、ＡＥＳ樹脂（アクリロニトリル−エチレン−スチレン共重合体）、ＡＳＡ樹脂（アクリロニトリル−スチレン−アクリル酸共重合体）、などが挙げられ、ＡＥＳ樹脂、ＡＳＡ樹脂が好ましい。
本発明の小口キャップが用いられるデッキ材としては、特に限定されないが、例えば、合成樹脂、無機材料、木材、これらの複合材料等からなるものが挙げられるが、ポリプロピレン等の熱可塑性樹脂に木粉を混合した樹脂組成物を押出成形等によって成形した合成木材が好適である。
【発明の効果】
【００１０】
本発明にかかる小口キャップは、天板部とこの天板部に平行に配置された底板部と、柱部を介して仕切られて天板部と底板部との間に形成された複数の中空部とを備えるデッキ材の端面を覆う蓋部と、この蓋部のデッキ材の端面に当接する面から突設され、前記中空部内に入り込み、中空部内壁の一部に圧接されて蓋部によってデッキ材の端面を覆った状態を保持する突部と、を一体に有するデッキ材の小口キャップであって、前記蓋部が、前記デッキ材の端面全体を覆う大きさをした板状をしているとともに、各中空部の水抜き溝が、その上端が前記底板部の上面より上側で前記天板部の下面より下側に配置され、下端が蓋部の下端面でのみ開口するように、前記蓋部の前記デッキ材の端面に当接する面に設けられている。
したがって、この小口キャップをデッキ材の端部に装着すれば、蓋部がデッキ材の端面を覆うため、デッキ材の側方から中空部内が視認できず、外観が良好となる。すなわち、水抜き溝が、蓋部の下端面で開口しているだけであるので、中空部が水抜き溝を介して外部から視認できない。そして、水抜き溝を介して埃や虫等が中空部に入りにくい。
また、蓋部とデッキ材の端面との隙間から万一中空部内に雨水等が入り込んでも、水抜き溝を介して水抜き溝の下端の開口からすぐに排出される。
したがって、中空部の内部に溜まった水による水苔が発生やデッキ材の品質低下の問題がなくなる。
【図面の簡単な説明】
【００１１】
【図１】本発明にかかる小口キャップの１つの実施の形態をあらわす斜視図である。
【図２】図１の小口キャップであって、同図（ａ）は平面図、同図（ｂ）は正面図、同図（ｃ）は底面図、同図（ｄ）は側面図である。
【図３】図１の小口キャップのデッキ材への装着方法説明する斜視図である。
【図４】デッキ材への装着状態を説明するデッキ材の断面図である。
【図５】公知の小口キャップの斜視図である。
【図６】図５の小口キャップのデッキ材への装着方法を説明する斜視図である。
【発明を実施するための形態】
【００１２】
以下に、本発明を、その実施の形態をあらわす図面を参照しつつ詳しく説明する。
図１〜図３は、本発明にかかる小口キャップの１つの実施の形態をあらわしている。
【００１３】
図３に示すように、この小口キャップ１は、デッキ材２に用いられるようになっている。
そして、デッキ材２は、ポリプロピレンに木粉などを充填材として加えた樹脂組成物を押出成形したもので、図３及び図４に示すように、天板部２１と、底板部２２と、柱部２３で仕切られた６つの中空部２４とを備えている。
【００１４】
一方、小口キャップ１は、ＡＥＳ樹脂またはＡＳＡ樹脂の射出成形品であって、蓋部１１と、２つの天板部当接用突部１２と、２つの底板部当接用突部１３と、４つの柱部当接用突部１４とを備えている。
蓋部１１は、デッキ材２の端面全体を覆う大きさをした板状をしているとともに、中空部２４と同数の水抜き溝１５を備えている。
【００１５】
水抜き溝１５は、蓋部１１のデッキ材２の端面と当接される面に設けられ、その下端が、蓋部１１の下端面で開口するとともに、上端が中空部２４の下端部に達する長さになっていて、１つの中空部２４に対して１つずつ対応するように設けられている。
【００１６】
天板部当接用突部１２は、デッキ材２の両側から２番目の中空部２４の天板部２１の壁面に当接するように設けられ、突部本体１２ａとズレ防止用三角リブ１２ｂとを備えている。
突部本体１２ａは、中空部２４の幅と略同じか少し狭い幅の板状をしていて、先端の天板部２１側の面がテーパ状に面取りされている。
ズレ防止用三角リブ１２ｂは、突部本体１２ａの天板部２１側の面の幅方向の中央に突設されている。
【００１７】
底板部当接用突部１３は、デッキ材２の両側から２番目の中空部２４の底板部２２の壁面に当接するように設けられ、突部本体１３ａとズレ防止用三角リブ１３ｂとを備えている。
突部本体１３ａは、天板部当接用突部１２の突部本体１２ａの略半分の幅の板状をしていて、先端の底板部２２側の面がテーパ状に面取りされているとともに、図２（ｂ）に示すように、両側から２番目の中空部２４用の水抜き溝１５を避けた位置で突部本体１２ａに対面するように設けられている。
ズレ防止用三角リブ１３ｂは、突部本体１２ａの底板部２２側の面の、天板部当接用突部１２のズレ防止用三角リブ１２ｂ直下に突設されている。
【００１８】
柱部当接用突部１４は、デッキ材２の両側から一番目の中空部２４と二番目の中空部２４との間を仕切る柱部２３を挟むように設けられ、突部本体１４ａとズレ防止用三角リブ１４ｂとを備えている。
突部本体１４ａは、柱部２３に平行な板状をしていて、柱部２３側の面の先端がテーパ状に面取りされている。
ズレ防止用三角リブ１４ｂは、突部本体１４ａの柱部２３側の面の上下方向の中央に設けられている。
【００１９】
この小口キャップ１は、以上のように構成されており、以下のようにしてデッキ材２に装着される。
（１）図３に示すように、デッキ材２の両側から一番目の中空部２４と二番目の中空部２４との間を仕切る柱部２３の端面を２つの柱部当接用突部１４の隙間が臨むとともに、天板部当接用突部１２及び底板部当接用突部１３が両側から２番目の中空部を臨むように蓋部１１をデッキ材２の端面に対面させる。
（２）蓋部１１をデッキ材２の端面に当接するまで、デッキ材２の中空部２４の軸方向（図３の矢印方向）に押し込む。
【００２０】
そして、上記のようにデッキ材２に装着された小口キャップ１は、図４に示すように、２つの天板部当接用突部１２がそれぞれデッキ材２の両側から二番目の中空部２４の内壁を構成する天板部２１の下面に当接する。また、２つ底板部当接用突部１３がそれぞれデッキ材２の両側から二番目の中空部２４の内壁を構成する底板部２２の上面に当接する。さらに、２つの柱部当接用突部１４が、それぞれ両側から一番目の中空部２４と、二番目の中空部２４とを仕切る柱部２３の一番目の中空部２４側の壁面に当接し、残りの２つの柱部当接用突部１４が柱部２３に二番目の中空部２４側の壁面に当接する。
【００２１】
したがって、小口キャップ１は、天板部当接用突部１２と天板部２１の下面、底板部当接用突部１３と底板部２２の上面、及び、柱部当接用突部１４と柱部２３の壁面との間の摩擦抵抗によってデッキ材２からの離脱が防止される。すなわち、蓋部１１がデッキ材２の端面に当接し、デッキ材２の端面を覆い隠した状態に保持される。
しかも、天板部当接用突部１２、底板部当接用突部１３及び柱部当接用突部１４が、それぞれズレ防止用三角リブ１２ｂ，１３ｂ，１４ｂを備え、ズレ防止用三角リブ１２ｂが天板部２１の下面に、ズレ防止用三角リブ１３ｂが底板部２２の上面に、ズレ防止用三角リブ１４ｂが柱部２３の壁面に食い込むように作用するので、小口キャップ１のデッキ材２の上下方向及びデッキ材２の幅方向の動きが抑えられ、蓋部１１がズレ動くことがない。
【００２２】
また、水抜き溝１５が設けられているので、中空部２４内に雨水などが万一流れ込んでも、この水抜き溝１５を介して流れ込んだ雨水が排水されるので、デッキ材２の品質低下を防止できるとともに、中空部２４内に水苔が発生する問題がない。
しかも、水抜き溝１５が蓋部１１の下面側で開口しているため、この水抜き溝１５を介して中空部２４を視認することができない。すなわち、デッキ材２の側方から中空部２４が全く見えないため、見栄えのよいものとすることができる。また、中空部２４への埃や虫の侵入を防止することができる。
【００２３】
本発明は、上記の実施の形態に限定されない。例えば、上記の実施の形態では、両側から一番目の中空部と二番目の中空部を仕切る２つ柱部を挟むように柱部当接用突部が設けられていたが、全ての柱部を両側から挟むように柱部当接用突部を設けるようにしてもよい。
また、上記の実施の形態では、底板部当接用突部の突部本体の幅が、天板部当接用突部の突部本体の幅より狭くなっていたが、同じ幅にしても構わない。
【符号の説明】
【００２４】
１  小口キャップ
１１  蓋部
１２  天板部当接用突部
１３  底板部当接用突部
１４  柱部当接用突部１４
１５  水抜き溝
１２ａ，１３ａ，１４ａ  突部本体
１２ｂ，１３ｂ，１４ｂ  ズレ防止用三角リブ
２  デッキ材
２１  天板部
２２  底板部
２３  柱部
２４  中空部
【図１】
0005483971.tif 000002
【図２】
0005483971.tif 000003
【図３】
0005483971.tif 000004
【図４】
0005483971.tif 000005
【図５】
0005483971.tif 000006
【図６】
0005483971.tif 000007